(57)【要約】      （修正有）【課題】美的外観を含み共鳴発音に楽器性を取入れた回転による楽器性共鳴発音装置を提供する。【解決手段】土台となる装置ベース２上の中心部に発音具１１を設け、その中心部に回転する回転管１８を嵌め込み、回転管１８から撥１５を設ける。回転管１８の内部に遊嵌状態にて上下する心棒１２を設け、その周囲に共鳴器１を設け、その上面に巻揚げ金具８を設ける。共鳴器放音孔２６を設けた装置蓋３を置き、共鳴器１内部にて発音具１１の周囲に、装置ベース２から装置蓋３にかけて複数個の弦７を配置し、その装置蓋内の巻揚げ金具８にて締上げる。その装置蓋３を覆いカバー空間放音孔２８を設けた円筒カバー４が、装置蓋３外周に嵌め込み、その上面に調整放音孔２９を設けた音波調整円板５を備える。【選択図】図２
2014089240.tif 000002
【特許請求の範囲】
【請求項１】
装置ベースと、この中心に配設された発音具と、前記発音具の中心穴に配設され回
転する回転管と、この回転管の内部にて遊嵌状態で上下する心棒と、前記回転管に配
設された撥と、それらの周囲に配設された共鳴器と、この共鳴器の上面に巻揚げ金具
を備え共鳴器放音孔を設けた装置蓋と、前記共鳴器内部にて前記発音具の周囲に前記
装置ベースから前記装置蓋にかけて複数個を配置した弦と、前記装置蓋を覆いカバー
空間放音孔を設けた円筒カバーと、この上面に調整放音孔を設けた音波調整円板を具
備することを特徴とする回転による楽器性共鳴発音装置
【請求項２】
前記共鳴器を透光性とすると共に発光ダイオード（LED）と、電源供給用電池ボッ
クスまたは外部電源供給具と、スイッチを備えたことを特徴とする請求項１に記載の
回転による楽器性共鳴発音装置
【請求項３】
前記回転管の先端に手動用ハンドル配設し、前記回転管の内部にて遊嵌状態で上下
する前記心棒の先端に押頭を取付けたことを特徴とする請求項１または２に記載の
回転による楽器性共鳴発音装置
【請求項４】
前記回転管を回転させる電気駆動モーターと、前記円筒カバー上面に前記心棒を押
出しする電動押出ユニットと、その両構成部分をコントロールする制御装置を取付け
たことを特徴とする請求項１または２に記載の回転による楽器性共鳴発音装置
【請求項５】
前記共鳴器及び前記透光性共鳴器を陶磁芸と、前記装置ベース及び前記円筒カバー
及び前記音波調整円板を漆芸または表面処理として美的外観を取入れたことを特徴
とする請求項１または２に記載の回転による楽器性共鳴発音装置
【発明の詳細な説明】
【技術分野】
【０００１】
本発明は、癒し感、やすらぎ感等の絆感を提供出来る回転による楽器性共鳴発音装
置に関する。
【背景技術】
【０００２】
近い調査情報から、水を使用することによる欠点を解決する目的で、水を有する水
琴窟内での残響音を収録して、その音源音を空洞内にて、スピーカー発信音で空洞共
振させ音拡散孔から外部周囲に放射する水琴靴があります。この発明に関する先行技
術情報として特許文献１が知られている。
【０００３】
次に、圧電素子を含んだ振動板が、永久磁石と電磁石との磁気的相互作用によって
振動起し、枠体空洞壁に振動を与えて共鳴発音させる空洞共鳴型の発音装置がり、圧
電ブザーとして使用されている。この発明に関する先行技術情報として特許文献２が
知られている。
【先行技術文献】
【特許文献】
【０００４】
【特許文献１】特公平７−６０３１６
【特許文献２】特開平７−１４０９８４
【非特許文献】
【０００５】
【非特許文献１】水音研究所発行「水琴窟の研究」第４号  ｐ.６３  〜  ７５
【非特許文献２】渡部由雄著「水琴窟の音響機構の解析的研究」日本水琴窟フォーラム発行、2007年、ｐ.１  〜  １５
【発明の開示】
【発明が解決しようとする課題】
【０００６】
これらを含み、多種の発生方法による共鳴音波は、その使用目的により特性が制限されて利用されている。しかしながら共鳴音波の特性要因等の中で、長時間性および倍音性等は共鳴発生装置において重要と思われます。
【０００７】
そこで、本発明はこのような課題を解決し、回転による楽器性共鳴発音装置におい
て、発音具の形状と複数個の弦にて、長時間性および倍音性の共鳴音を発生すること
と、その連続で楽器性での共鳴楽音を発生することと、その価値を高めるため、美的
外観表現の付加価値を取入れたことを新規に提供することを目的とする。
【課題を解決するための手段】
【０００８】
上述した課題解決のため、本発明に係る回転による楽器性共鳴発音装置は、装置ベ
ースと、この中心に配設された発音具と、前記発音具の中心穴に配設され回転する回
転管と、この回転管の内部にて遊嵌状態で上下する心棒と、前記回転管に配設された
撥と、それらの周囲に配設された共鳴器と、この共鳴器の上面に巻揚げ金具を備え共
鳴器放音孔を設けた装置蓋と、前記共鳴器内部にて前記発音具の周囲に前記装置ベー
スから前記装置蓋にかけて複数個を配置した弦と、前記装置蓋を覆いカバー空間放音
孔を設けた円筒カバーと、この上面に調整放音孔を設けた音波調整円板が備えられて
いる。
【０００９】
前記の構成および構成間の作用について、装置ベースの中心に、配設された発音具
の上部に回転管から撥が配設されており、その撥の下降用に、小丸棒を通して回転管
内に遊嵌状態で上下する心棒が内蔵されている。そして、その撥の先端は、その中心
上において、回転管中心からの複数弦の距離よりも大きく設定されている。また発音
具の外周には、複数の弦が太さ程度の距離で接触しないで有る。その発音具の形状は、
外周丸みおびて内部は円柱中空の薄肉厚で、上端開口及び下端閉口になっている。
【００１０】
回転管を回転操作することにより、撥の先端は、横位置の弦に衝突を起し弦に横振
動を起させる。その振動は、発音具外周接触により、発音具に衝撃振動を起させ音源
音を発する。平行して、その衝撃振動で円柱中空内部より、発音具の材質独自である
共鳴周波数の音源音を発する。この発生場所の違いが、共鳴時間を長くする重要な要
素である。発音具から放射される音源波は、壁面や装置ベース上にて入射と反射を通
して空洞全体に広がり、やがて固有周波数からなる共鳴音に変化する。そしてその作
用の中、弦の振動による共鳴器の固有弾性振動の周波数と強く相互作用（共振）する。
そして、発生源である弦が太さ、張力の異なる複数個存在することと、心棒の下降操
作を共に行うことで、横の弦に当てないで選択した弦に振動を与えることができ、こ
のことで上記により、長時間性と共に、異なる複数の共鳴周波数の整数倍なる倍音性
共鳴音を発し、その連続が楽器性での共鳴楽音を発する。
【００１１】
上記の作用空間を持つ共鳴器の形状は、円筒部分の長さはL1/L＝２/３で、小径の
長さはL2/L＝１/３での梵鐘形をしている。そしてこの梵鐘形の共鳴器は、空洞内の
固有周波数の吸収を少なくし、壁の固有弾性振動を維持するために、硬質性で吸収性
の小さい又吸水性のない陶磁器を使用している。このようにして、共鳴器空洞内で、
共振して大きく強くなった固有周波数と音圧からなる共鳴音波エネルギーは、一部吸
収されるがその多くはその空洞内に蓄積される。そしてその空洞形状は、梵鐘形をし
ており共鳴音の放出効果が良いとされ、天井である装置蓋の複数の共鳴器放音孔から
放射する。その放音孔から円筒形のカバー空間へ放射された共鳴音波エネルギーは、
一部は吸収され減衰されるが、この空間は、小空間であるため一層蓄積される。その
蓄積された共鳴音波を、音波調整円板の回転で、カバー空間放音孔と調整放音孔で調
整を行って外部へ放射する。その両放音孔の場所は、使用する適用室内又集合場所等
において、対象者配置は不規則であるため、又美的外観の向上のため上面とする。
【００１２】
上記の陶磁器は、一般的に磁器を含んだ名称であり、原料は陶石およびその成分鉱
物である。陶磁器製である共鳴器は、図面により内型と外型成形起して、その型によ
る鋳込み成形にて製作を行う多量生産品である。
【００１３】
共鳴器の材質は磁器であり、透光性含んだ陶石およびその成分鉱物の原料から、作
られた共鳴器を透光性とすると共に、発光ダイオード（LED）と、電源供給用電池ボ
ックスまたは外部電源供給具と、スイッチを前記構成の回転による楽器性共鳴発音装
置に備えたことにより、色光外観表現と美的外観で一層の付加価値の向上になる。
【００１４】
回転管の先端に手動用ハンドルを配設し、回転管の内部に遊嵌状態で上下する心棒
の先端に押頭を取付けたことにより、回転管と押頭の操作は個人が行なう。このこと
により、自由にて複数の弦から特定位置の弦を選択し、衝撃の大きさ・速さにて振動
を与え、その弦が保有する共振（共鳴）周波数を発生させることができる。その間隔
も自由で、その操作により、個性上で共鳴発音の楽器性共鳴音を聞くことが可能にな
る。
【００１５】
回転管を回転させる電気駆動モーターと、円筒カバー上面に心棒を押出しする電動
押出ユニットと、その両構成部分をコントロールする制御装置を取付けたことにより、
設定内容にて連続で自動で行なう。このことにより、複数の中から特定位置の弦を選
択し、設定量での衝撃の大きさ・速さで弦に振動を与え、その弦が保有する共振（共
鳴）周波数を発生させることが自動的に行なわれる。よって、複数の弦に連続で自動
で行なうため、より良い楽器性の向上となり、楽器性共鳴音を対象者共有にて聞くこ
とが可能になる。
【００１６】
共鳴器及び透光性共鳴器を陶磁芸と、装置ベース及び円筒カバー及び音波調整円板
を漆芸または表面処理での色付で美的外観を取入れたことで、価値を向上させること
ができる。しかし、ここでの陶磁芸と漆芸の美的外観とは、陶磁器外観への絵付技法
および漆器外観への沈金・蒔絵技法等の一品性作風の工芸ではなく、日本中の該当地
域において、陶磁器は陶磁色および漆器は漆色にての多量製作できる製品である。
【００１７】
前記において、共鳴器および透光性共鳴器形状を梵鐘形とした、共鳴器形状の実験
技術情報は、先行技術情報として非特許文献１が知られている。また、水琴窟空洞内
での、音源音の発生から放射されるまでの共鳴残響音、およびこれらの音の関係を、
実験解析研究した技術情報は、先行技術情報として非特許文献２が知られている。
【００１８】
共鳴器および透光性共鳴器については、前記により両構成部分共、材質は磁器であ
り、その原料は陶石およびその成分鉱物である。磁器は、透光性および半透光性があ
ることは各文献において一致した記載である。しかし、現状では、同じ材質名・原料
名であっても、透光性および半透光性の有無がわかれ、その境界が不明確である。ま
た、透光性と半透光性の境界も不明確である。よって、本発明の回転による楽器性共
鳴発音装置においては、同じ材質・形状であり、同様の目的と作用で有りながら、外
観表現に違いが生じるため、半透光性も含めて、透光性を含んだ陶石およびその成分
鉱物からなる透光性陶磁器は、透光性共鳴器とした。
【発明の効果】
【００１９】
このような構成とすることにより、本発明によれば、次のような効果を得ることが
できる。
( a )  回転管の回転操作と心棒の下降操作により、太さ・張力の異なる複数個の弦による異なる共鳴周波数が整数倍の倍音共鳴音を発し、その連続が楽器性での共鳴楽音を発する新規な回転による楽器性共鳴発音装置が提供できる。
( b )  発音具の形状および高密度ρを含んだ材質選択と、線径及び高張力の弦選択
により、より良い音色と、ビブラート効果・トレモロ効果で透明感と自然さと、長時
間性の共鳴音波を発生させる新規な回転による楽器性共鳴発音装置が提供できる。
( c )  共鳴器に透光性を加えることで、色光外観表現で美的外観を一層向上させ、
付加価値を加えた新規な回転による楽器性共鳴発音装置を提供できる。
( d )  手動用ハンドルおよび押頭による手動操作により、自由にて複数個の弦から
特定位置の弦を選択し、衝撃の大きさ・速さにて振動を与え、その弦が保有する共振
（共鳴）周波数を発生させる。その間隔も自由な個性上での新規な回転による楽器性
共鳴発音装置が提供できる。
( e )  電気駆動モーターと、電動押出ユニットおよび制御装置による自動操作によ
り、複数の中から特定位置の弦を選択し、設定量での衝撃の大きさ・速さで弦に振動
を与え、その弦が保有する共振（共鳴）周波数を発生させることが自動的に行なわれ
る。よって、複数個の弦に連続自動で行なうため、楽器性の向上となり、楽器性共鳴
音を対象者共有できる新規な回転による楽器性共鳴発音装置を提供できる。
( f )   共鳴器及び透光性共鳴器を陶磁色による陶磁芸と、装置ベース及び円筒カバ
ー及び音波調整円板を漆色による漆芸または表面処理での色付で、美的外観表現を取
入れたことで、付加価値を加えた新規な回転による楽器性共鳴発音装置を提供できる。
【発明を実施するための最良の形態】
【００２０】
図１は本発明に係る回転による楽器性共鳴発音装置の平面図、図２は図１のＡ1-Ａ
1線上における部分断面図である。以下図を用いて説明する。
【００２１】
この基本的な構造は、装置ベース２の中心部に発音具１１を配設して、その中心部
に回転する回転管１８を嵌め込みして、その回転管１８に撥１５を配設している。ま
た、その回転管１８の内部にて遊嵌状態で上下する心棒１２を配設している。それら
の周囲に共鳴器１が配設され、この共鳴器１の上面に巻揚げ金具８を備え、共鳴器放
音孔２６を設けた装置蓋３を置いている。共鳴器１の内部にて、発音具１１の周囲に
装置ベース２から装置蓋３にかけて複数個を配置した弦７が、複数個の巻揚げ金具８
にて張上げられている。その装置蓋３を覆いカバー空間放音孔２８を設けた円筒カバ
ー４が、装置蓋３に嵌め込みされている。その上端に調整放音孔２９を設けた音波調
整円板５を備えた構成になっている。
【００２２】
土台となる装置ベース２の中心部穴径に、発音具１１の下部が、すきまばめ嵌合状
態で配設している。この発音具１１の中心部穴径に回転する回転管１８が、すきまば
めに嵌め込みされ、その上部には回転管１８から撥１５を配設している。その回転管
１８と撥１５については、回転管１８の中に上下する心棒１２をすきまばめ嵌合で内
蔵しており、撥１５の回転は回転管１８にて、下降移動は心棒１２の下降操作で行な
う。それらの周囲にて、装置ベース２上に共鳴器１の内径が、しまりばめで嵌め込み
されている。この共鳴器１の上面に、回転管１８の外径での、すきまばめ嵌合中心に
して、複数個の巻揚げ金具８を備え、複数の共鳴器放音孔２６を設けた装置蓋３を置
いている。共鳴器１内部にて、発音具１１の周囲に装置ベース２から装置蓋３にかけ
て、太さ異なる複数個の弦７が配置され、それぞれの巻揚げ金具８にて張上げている。
よって、装置ベース２と共鳴器１と装置蓋３は、複数個の弦７と複数個の巻揚げ具８
にて固定している。また、弦７と撥１５の交換の場合は、全ての巻揚げ金具８を緩め
て共鳴器１と装置ベース２を開けた間隔域で行なう。ここでの、巻揚げ金具８は、ギ
ター等の楽器に使用しており平常時は緩まない市販品である。前記の装置蓋３を覆い、
円筒中空の上端閉口部に複数のカバー空間放音孔２８を設けた円筒カバー４が、装置
蓋３に嵌め込み取付けされている。その上端には、回転用に嵌合されて、調整放音孔
２９を設けた音波調整円板５を備えている。そして、その調整放音孔２９とカバー放
音孔２８は、各弦７の張る力の微調整にも使用する。
【００２３】
発音具１１と撥１５と弦７の関係は、発音具１１の上部に、干渉しない程度の距離
にて、回転管１８から撥１５が配設されている。その撥１５の先端は、その中心上に
おいて、回転管１８中心からの弦７の距離よりも大きく設定されている。また、発音
具１１の外周には、複数の弦７が太さ程度の距離で接触しないで配設している。その
発音具１１の形状は、外周丸みおびて、内部は円柱中空の薄肉厚で、上端開口および
下端閉口になっている。
【００２４】
回転管１８を回転操作することにより、撥１５の先端は、横位置の弦７に衝突を起
し弦７に横振動を起させる。その振動は、発音具１１の外周接触により衝撃振動を起
させ音源音を発します。その弦７の横振動における共振周波数ｆGは次の式にて示さ
れている
ｆG＝１/2L√T/ρ
ここで、Lは弦の長さ、Tは弦の張力、ρは線密度である。この式での上音との関係
は倍音である。
【００２５】
次に、発音具１１の衝撃振動で円柱中空内部より、発音具１１の材質独自である共
鳴周波数の音源音を発します。その円柱中空内部の空気柱の共鳴周波数ｆPは次の式
にて示されている。
ｆP＝C/４（L+α）
ここで、Cは材質上の音伝搬速度、Lは空気柱の長さ、αは開口補正である。この式
での上音との関係は倍音である。
【００２６】
発音具１１から放射される音源波は、壁面や装置ベース２上にて入射と反射を通し
て空洞全体に広がり、やがて固有周波数からなる共鳴音に変化する。そしてその作用
中、弦７の振動による共鳴器１の固有弾性振動の周波数と強く相互作用（共振）して、
共鳴固有周波数と一致する時、共鳴周波数と音圧は大きく強くなる。そして、発生源
である弦７が太さ、張力の異なる複数個存在することと、回転管１８の回転操作と心
棒１２の下降操作を共に行うことで、横の弦７に当てないで選択した弦７に振動を与
えることができ、このことで上記により、長時間性と共に、異なる複数の共鳴周波数
の整数倍なる倍音性共鳴音を発し、その連続が楽器性での共鳴楽音を発する。
【００２７】
上記の作用空間を持つ反射面に囲まれた共鳴器１の内部空間は、３次元的広がりを
持った弾性体として固有周波数を持っている。この形状は、円筒部分の長さは、L1/L
＝２/３で、小径の長さは、L2/L＝１/３での梵鐘形をしている。このような形状での、
３次元閉空間の音響固有周波数ｆNMSを求める式は、非特許文献２のｐ１３に記載され
て、実験上照明されている。
【００２８】
この梵鐘形の共鳴器１は、空洞内の固有周波数の吸収を少なくし、壁の固有弾性振
動を維持するために、硬質性で吸収性の小さい又吸水性のない陶磁器を使用している。
これは共鳴時間を長くする要因でもある。このようにして、共鳴器空洞内で、共振し
て大きく強くなった固有周波数と音圧からなる共鳴音波エネルギーは、一部吸収され
るがその多くはその空洞内に蓄積される。そして、その空洞形状は、梵鐘形をしてお
り共鳴音の放出効果が良いとされ、天井である装置蓋３の複数の共鳴器放音孔２６か
ら放射する。その共鳴器放音孔２６から円筒形のカバー空間２７へ放射された共鳴音
波エネルギーは、一部は吸収され減衰されるが、この空間は、小空間であるため一層
蓄積される。その蓄積された共鳴音波を、音波調整円板５の回転で、カバー空間放音
孔２８と調整放音孔２９で調整を行って外部へ放射する。調整放音孔２９は、共鳴周
波数と音圧の調整により１ヶ所とは限らず、複数設けることもある。その両放音孔の
場所は、使用する適用室内また適用集合場所等において、対象者配置は不規則である
ため、また美的外観の向上のため上面とする。
【００２９】
本発明にかかる回転による楽器性共鳴発音装置は、音響の特性向上が重要視され、
その中に材質が含まれる。共鳴器１については、前記にて記載している。次に、装置
ベース２と装置蓋３と円筒カバー４と音波調整円板５の材質について、音響特性によ
る使用実績と美的外観の向上の観点から木材が望ましいが、別に、プラスチック成形
品として、量産品、製品の均一性、一定の音響特性の観点から好ましい。次に、発音
具１１は、音色の良さとその音伝搬速度および加工性の観点から、合金材、非鉄材、
鉄鋼材が望ましいが、別に、セラミック成形材として、量産品、製品の均一性、媒材
質の音伝搬速度の観点から好ましい。
【００３０】
回転管１８と心棒１２と撥１５の関係については、回転管１８の中に、上下する心
棒１２をすきまばめ嵌合で内蔵している。撥１５の回転は、その水平位置での回転管
１８の外周に、丸棒付円筒体１３がすきまばめ嵌合で、小丸棒１９aの通しで留めて
おり、その丸棒付を案内にして、弾性体１４bを嵌め込みして、その弾性体１４bの
内径に撥１５を嵌め込みして、それぞれ留めている。よって、手動用ハンドル９の回
転操作により回転管１８と撥１５が共に回転する。撥１５の下降移動は、上下する心
棒１２と丸棒付円筒体１３が、小丸棒１９aにて留めており、その小丸棒１９aを案
内する長孔は、回転管１８に通して設けている。よって、心棒１２を下降させること
により、小丸棒１９aが、回転管１８の案内長孔にそって丸棒付円筒体１３と共に下
降する。そして、復帰は、弾性体１４aの圧縮を戻す弾性力が働いて戻る。その操作
は、押頭１０で行なう。作用目的は、複数個の弦７から、ある一弦を選定し振動を与
え異なる複数の共鳴周波数の整数倍なる倍音性共鳴音を発し、その連続にて楽器性で
の共鳴楽音を発する。尚、弾性体１４aを支えている下部中棒は、回転管１８の内部
を栓して、一体化となっている。
【００３１】
装置ベース２の上面には、複数個の弦７を留めている部に、弦ピース６を挿入して
いる。これは、弦７の振動を装置ベース２を通して、共鳴器１の壁に振動を与え、壁
の弾性体としての固有振動数を起す役目をする。また中心下部穴径には、上下調整金
具１７をすきまばめで嵌め込みして、２本のボルト・ナットにて、上部にある発音具
１１の上下高さ調整して、複数の弦７とのスキマ調整を行なう。と共に、発音具１１
の回転を止める役目もする。
【００３２】
発音具１１の中心内径に、自己潤滑性軸受１６を挿入して、回転管１８の回転を伝
えない役目をしている。次に、回転管１８に圧入した小丸棒１９bは、回転管１８が
上部に抜けないための安全対策棒である。その他、回転接触面である手動用ハンドル
９の下面と、心棒１２の下面に複層ワッシャーを備えて、回転の円滑向上している。
【００３３】
共鳴器と透光性共鳴器の符号については、両構成部分共、同じ材質・形状および同
様の目的と作用であるため、共鳴器１の中に透光性共鳴器を含むこととした。また、
共鳴器を透光性とすると共に、発光ダイオード（LED）２１と電源供給用電池ボック
ス２２とスイッチ２３を前記構成の回転による楽器性共鳴発音装置に備えたことによ
り、色光外観表現と美的外観で一層の付加価値の向上とした。
【００３４】
図３は本発明に係る回転による楽器性共鳴発音装置の平面図、図４は図３のＡ２−
Ａ２線上における部分断面図である。図において、図1および図３と同一の参照符号
は同一性ある構成部分を示している。回転管１８の下部に、カップリング３１を通し
た電気駆動モーター３２と、円筒カバー４の上面に心棒１２を押出しする電動押出ユ
ニット３４を取付けた。電気駆動モーター３２による回転と電動押出ユニット３４に
よる下降押出しを連続で自動で行なう様に設定した制御装置３５を設けた。
その他、回転管１８の位置決め用に円板３３を設け、電気駆動モーター３２の保持用
にブラケット３６を設けた。このことにより、複数の中から特定位置の弦７を選択し、
設定量での衝撃の大きさ・速さで弦７に振動を与え、その弦７が保有する共振（共鳴）
周波数を発生させることが自動的に行なわれる。よって、複数の弦７に連続で自動で
行なうため、より良い楽器性の向上となる。
【図面の簡単な説明】
【００３５】
【図１】本発明に係る回転による楽器性共鳴発音装置の平面図である。
【図２】図１のＡ１−Ａ１線上における部分断面図である。
【図３】本発明に係る回転による楽器性共鳴発音装置の別の発明を実施するための形    態を示す平面図である。
【図４】図３のＡ２−Ａ２線上における部分断面図である。
【符号の説明】
【００３６】
１      共鳴器
２      装置ベース
３      装置蓋
４      円筒カバー
５      音波調整円板
６      弦ピース
７      弦
８      巻揚げ金具
９      手動用ハンドル
１０    押頭
１１    発音具
１２    心棒
１３    丸棒付円筒体
１４a   弾性体
１４b   弾性体
１５    撥
１６    自己潤滑性軸受
１７    上下調整金具
１８    回転管
１９a   小丸棒
１９b   小丸棒
２１    発光ダイオード（LED）
２２    電源供給用電池ボックス
２３    スイッチ
２６    共鳴器放音孔
２７    カバー空間
２８    カバー空間放音孔
２９    調整放音孔
３１    カップリング
３２    電気駆動モーター
３３    円板
３４    電動押出ユニット
３５    制御装置
３６    ブラケット
【図１】
2014089240.tif 000003
【図２】
2014089240.tif 000004
【図３】
2014089240.tif 000005
【図４】
2014089240.tif 000006
【手続補正書】
【提出日】平成25年2月8日(2013.2.8)
【手続補正１】
【補正対象書類名】特許請求の範囲
【補正対象項目名】請求項５
【補正方法】変更
【補正の内容】
【請求項５】
前記共鳴器を陶磁芸と、前記装置ベース及び前記円筒カバー及び前記音波調整円板を漆芸または表面処理として美的外観を取入れたことを特徴とする請求項１または２に記載の回転による楽器性共鳴発音装置